【手続補正書】
【提出日】平成19年4月23日(2007.4.23)
【手続補正１】
【補正対象書類名】明細書
【補正対象項目名】特許請求の範囲
【補正方法】変更
【補正の内容】
【特許請求の範囲】
【請求項１】
コア網及び無線アクセス網を有する網において無線アクセス網からコア網への無線アクセスベアラ上で無線アクセスベアラサービスを提供する方法であって、
ａ）アプリケーションによって送信されるないし送信される予定の少なくとも１つのセッショントラフィックフローを認識する過程と、
ｂ）少なくとも１つの無線アクセスベアラを決定するのに必要なパラメータ形式で、認識されたセッショントラフィックフローを特徴付ける過程と、
ｃ）先行過程のパラメータを無線アクセスベアラ特性に変換する過程と、
ｄ）前記特性によって定義された１つもしくは複数の無線アクセスベアラを要求して確立する過程と、
ｅ）前記要求に基づいて確立された適切な無線アクセスベアラ上に各セッショントラフィックを位置付ける過程と、
ｆ）そのセッションの終了を示す過程と、
ｇ）無線アクセスベアラを解放する過程と
を有し、過程ａ）−ｇ）がコア網と無線アクセス網との間のインターフェースに関連してコア網側に導入された論理ノードによって実行されることを特徴とする方法。
【請求項２】
セッショントラフィックが、有効な実存する無線アクセスベアラに送信されたとき、セッションのパケットのパケットヘッダを用いることにより、各過程ａ）、ｂ）で、そのセッションが認識され、特徴づけられることを特徴とする請求項１に記載の方法。
【請求項３】
同じソースからの異なるデータストリームがパケットごとに特徴づけられ、正当なベアラ上で位置付けられることを特徴とする請求項２に記載の方法。
【請求項４】
過程ａ）が、アプリケーションによって送信される予定の１つもしくは複数のセッショントラフィックフローに関する情報を受信することと、前記情報を用いてセッションを識別することとによって実施され、過程ｂ）が、１つもしくは複数の無線アクセスベアラを決定するのに必要なパラメータ形式で前記情報を用いて識別されたセッショントラフィックフローを特徴付けることによって実施されることを特徴とする請求項１に記載の方法。
【請求項５】
過程ｂ）ないしｃ）において、継続中のセッションにて、変更が認識されることを特徴とする請求項１ないし４のいずれかに記載の方法。
【請求項６】
過程ｂ）において、アドレス情報、サービス形式、パケット長、識別データ、許容遅延、ビット速度、無線リソース、フレーム誤り率、ビット誤り率、及び／又はトラフィックといったパラメータによってセッションが特徴づけられることを特徴とする請求項１ないし５のいずれかに記載の方法。
【請求項７】
パラメータに対して値の範囲が指定されることを特徴とする請求項６に記載の方法。
【請求項８】
過程ｄ）のベアラ要求が、無線アクセスベアラ特性に加えて、ソース情報及び優先情報のうち少なくとも１つを有することを特徴とする請求項１ないし７のいずれかに記載の方法。
【請求項９】
前記ソース情報が値の範囲を含むことを特徴とする請求項８に記載の方法。
【請求項１０】
前記ソース情報が、アプリケーションがデータを処理する単位時間当たりの速度を含むことを特徴とする請求項８に記載の方法。
【請求項１１】
前記優先情報がベアラ要求の優先事項を分類することを特徴とする請求項８に記載の方法。
【請求項１２】
アプリケーションが、ビデオコーデックアプリケーションないしウェブ検索アプリケーションのような適応的アプリケーションないし順応的アプリケーションであることを特徴とする請求項１ないし１１のいずれかに記載の方法。
【請求項１３】
パラメータが、基地局のアクティブセットにおける干渉レベルを含み、前記基地局のアクティブセットは移動局が接続される基地局を示すことを特徴とする請求項１ないし１２のいずれかに記載の方法。
【請求項１４】
セッショントラフィックが標準的なエンド・ツー・エンド型による信号／セッションの開始プロトコルの後に続くとき、各過程ａ）、ｂ）において、これらのエンド・ツー・エンド型セッション信号メッセージを受信して解釈することによってセッションが識別され、特徴づけられることを特徴とする請求項１ないし１３のいずれかに記載の方法。
【請求項１５】
セッショントラフィックが、網において、アプリケーションから無線アクセスベアラ管理ノードへの直接信号メッセージの後に続くとき、アプリケーションと前記管理ノードとの間の信号メッセージを解釈することによってセッションが過程ａ）において識別され、過程ｂ）において特徴づけられることを特徴とする請求項１ないし１４のいずれかに記載の方法。
【請求項１６】
請求項２，３及び１３ないし１５の方法のいずれかの組合せによってセッションが過程ａ）において識別され、過程ｂ）において特徴づけられることを特徴とする請求項１ないし１５のいずれかの方法。
【請求項１７】
過程ｃ）における無線アクセスベアラ特性へのパラメータの変換が、局部静止型変換データベース、遠隔操作変換データベース、ユーザ・プロファイル、及び／又は、ベアラ管理からの負荷指示器を用いることによって実行されることを特徴とする請求項１ないし１６のいずれかに記載の方法。
【請求項１８】
セッションがアプリケーションのニーズの変更を認識するために時間ごとに調査されることを特徴とする請求項５ないし１７のいずれかに記載の方法。
【請求項１９】
継続中のセッションにおいて認識されたパラメータの変更が、アプリケーションによって送信された継続中のセッションのパラメータの変更の結果として認識されることを特徴とする請求項１８に記載の方法。
【請求項２０】
継続中のセッションに対して無線アクセスベアラを定義するために用いられたパラメータが、それらのパラメータを変更するためのアプリケーションからのエンド・ツー・エンド型信号メッセージにより変更されることを特徴とした請求項５ないし１７のいずれかに記載の方法。
【請求項２１】
継続中のセッションに対して無線アクセスベアラを定義するために用いられたパラメータが、それらのパラメータを変更するためのアプリケーションから網の中の無線アクセスベアラ管理ノードへの信号メッセージにより、変更されることを特徴とする請求項５ないし１７のいずれかに記載の方法。
【請求項２２】
セッションの継続中、その特性に加えられる変更は、無線アクセス網からアプリケーションに送信されたメッセージの結果、アプリケーションによって識別され、そのメッセージは無線アクセス網の状況の変更に関する情報を搬送することを特徴とする請求項１９ないし２１のいずれかに記載の方法。
【請求項２３】
為される変更は、無線アクセス網から送信されたメッセージの結果であって、そのメッセージは、その無線アクセス網の状況の変更に関する情報を搬送し、その結果、特性は、その変更を実行するアプリケーションを待ち受けせずに直接変更されることを特徴とする請求項５ないし１７のいずれかに記載の方法。
【請求項２４】
コア網及び無線アクセス網を有する網において、それらの各網間の無線アクセスベアラを介し、異なるアプリケーションの無線アクセスベアラサービスを実行する装置であって、
ａ）アプリケーションによって送信される予定の１つもしくは複数のセッショントラフィックフローについての情報を受信し、そのセッショントラフィックフローを識別する手段と
ｂ）１つもしくは複数の無線アクセスベアラを決定するのに必要なパラメータ形式で、識別されたセッショントラフィックフローを特徴付ける手段と、
ｃ）先行過程のパラメータを無線アクセスベアラ特性に変換する手段と、
ｄ）前記特性によって定義された１つもしくは複数の無線アクセスベアラを要求して確立する手段と、
ｅ）適切な確立された無線アクセスベアラ上に各セッショントラフィックを位置付ける手段と、
ｆ）セッションの終了を示す手段と、
ｇ）無線アクセスベアラを解放する手段と
を有し、該装置が、コア網と無線アクセス網との間のインターフェースに関連してコア網側に導入された論理ノードであることを特徴とする装置。
【請求項２５】
セッションの継続中に変更を認識する手段を有することをさらに特徴とする請求項２４に記載の装置。
【請求項２６】
前記装置が、３つの機能構成要素によって構成されることを特徴とする請求項２４又は２５に記載の装置。
【請求項２７】
３つの機能構成要素のうちの１つが、請求項２４の項目ａ）ないしｃ）及びｆ）の手段を含むセッション分級器であることを特徴とする請求項２６に記載の装置。
【請求項２８】
セッション分級器が、前記パラメータにおける変更を認識するためにセッションを時間ごとに調査する手段も具備することを特徴とする請求項２７に記載の装置。
【請求項２９】
３つの機能構成要素のうち１つが、請求項２４の項目ｄ）及びｇ）の手段と請求項２５の手段を具備した無線アクセスベアラサービスマネージャであることを特徴とする請求項２６ないし２８のいずれかに記載の装置。
【請求項３０】
無線アクセスベアラサービスマネージャは、セッション分級器からのセッション要求を受信する手段も具備することを特徴とする請求項２９に記載の装置。
【請求項３１】
無線アクセスベアラサービスマネージャは、無線アクセス網の状況の変更に関する無線アクセス網からのメッセージを受信する手段とそれらをアプリケーションに送信する手段も具備することを特徴とする請求項３０に記載の装置。
【請求項３２】
無線アクセスベアラサービスマネージャは、アプリケーション認識可能形式に翻訳する手段とそれらをアプリケーションに送信する手段を具備することを特徴とする請求項３１の装置。
【請求項３３】
無線アクセスベアラサービスマネージャは、無線アクセス網の状況の変更に関する無線アクセス網からのメッセージに備えて、特性を変更する手段も具備することを特徴とする請求項３１に記載の装置。
【請求項３４】
３つの機能構成要素のうちの１つが、請求項２４の項目ｅ）の手段を含む、利用者データトラフィックを位置付ける手段によって構成されることを特徴とする請求項２６ないし３３のいずれかに記載の装置。